(57)【要約】【課題】車両に異常があることを感知した際、そのときの車両の周囲や内部の映像情報と車両の位置情報などを遠隔サーバに無線にて送り、これをコールバックセンターまたは車主に知らせることにより、事後の措置を取らせるカーセキュリティ無線遠隔通報装置を提供する。【解決手段】カーセキュリティ無線遠隔通報装置は、車両ドアの無断開閉や外部からの衝撃などの異常の有無を監視する監視装置と、車両に取り付けられ、前記監視装置が前記車両の異常を感知したときに前記車両の内部または周囲を撮影する撮影装置と、前記撮影装置により撮られる映像を格納する記憶装置と、前記車両に取り付けられ、前記車両の位置情報を得るＧＰＳ装置と、前記映像と位置情報の取得時間を得る時計と、前記記憶装置に格納されている映像、前記ＧＰＳ装置により得られる位置情報、及び前記時計により得られる時間情報を遠隔サーバに無線にて送る通信装置、を備える。【選択図】図１
2006123891.tif 000002
【特許請求の範囲】
【請求項１】
車両ドアの無断開閉や外部からの衝撃などの異常の有無を監視する監視装置と、
車両に取り付けられ、前記監視装置が前記車両の異常を感知したときに前記車両の内部または周囲を撮影する撮影装置と、
前記撮影装置により撮られる映像を格納する記憶装置と、
前記車両に取り付けられ、前記車両の位置情報を得るＧＰＳ装置と、
前記映像と位置情報の取得時間を得る時計と、
前記記憶装置に格納されている映像、前記ＧＰＳ装置により得られる位置情報、及び前記時計により得られる時間情報を遠隔サーバに無線にて送る通信装置を備えることを特徴とするカーセキュリティ無線遠隔通報装置。
【請求項２】
前記記憶装置は、前記ＧＰＳ装置により得られる位置情報と、前記時計により得られる時間情報とを格納し、前記通信装置は、ＧＰＳ装置により得られる位置情報と前記時計により得られる時間情報とを無線にて送る際、前記記憶装置に格納されている情報を送ることを特徴とする請求項１記載のカーセキュリティ無線遠隔通報装置。
【請求項３】
前記遠隔サーバは、格納されている車両位置情報、映像、及び時間情報を別設されているコールバックセンターに有線または無線にて送ることを特徴とする請求項１記載のカーセキュリティ無線遠隔通報装置。
【請求項４】
前記通信装置を動作させるホットキーがさらに設けられ、前記通信装置は、前記ホットキーを介して動作し、前記ＧＰＳにより得られる位置情報と前記時計により得られる時間情報とを前記遠隔サーバに無線にて送ることを特徴とする請求項１記載のカーセキュリティ無線遠隔通報装置。
【発明の詳細な説明】
【技術分野】
【０００１】
本発明は、カーセキュリティ無線遠隔通報装置に係り、特に、車両の盗難時、無断毀損時、または整備が必要な時に、このような状況を無線にて遠隔地の所望の場所に知らせることにより、そのような状況に効率よく対応出来るようにするカーセキュリティ無線遠隔通報装置に関する。
【背景技術】
【０００２】
市販中のカーセキュリティ装置は、通常、リモコンによりアラーム監視状態とアラーム解放状態とに切り換えられるが、ほとんどが車両ドアの無断開閉や外部からの衝撃などが感知されたときにアラーム音を鳴らすに留まっている。
【０００３】
車両が盗まれる場合には、それが犯罪に悪用される可能性があるため、公益的な観点からも問題を引き起こすことがある。特に、それが高級車両である場合には、盗難や毀損により車主または保険会社が財政的な損害を被る可能性があるため、既に盗難や毀損が生じていた場合であっても、その窃盗犯や毀損者を探して盗難車両を取り戻すことが好ましい。しかしながら、上述したように、従来のカーセキュリティ装置は、車両の盗難や毀損時にアラーム音を鳴らすに留まっており、それ以上の事後措置を取らせる上では役に立たないという不都合がある。
【０００４】
また、車両異常のために整備を必要とする場合が頻繁に起こっている。このとき、ほとんどの運転者は、個人的に知っている場所に電話をかけて援助を頼むのが普通である。このため、運転者が車主ではない場合、またはそのような連絡先が予め把握できていない場合には困ってしまう。そこで、緊急な状況が起こったときに援助を頼む場所に迅速で且つ簡便に連絡が取れるシステムが望まれる。
【発明の開示】
【発明が解決しようとする課題】
【０００５】
そこで、本発明が解決しようとする技術的な課題は、車両の異常が感知された際、そのときの車両の周囲や内部の映像情報と車両の位置情報などを遠隔サーバに無線にて送り、これをコールバックセンターまたは車主に知らせることで、事後の措置を取らせるカーセキュリティ無線遠隔通報装置を提供することにある。
【課題を解決するための手段】
【０００６】
上記技術的な課題を達成するために、本発明に係るカーセキュリティ無線遠隔通報装置は、車両ドアの無断開閉や外部からの衝撃などの異常の有無を監視する監視装置と、車両に取り付けられ、前記監視装置が前記車両の異常を感知したときに前記車両の内部または周囲を撮影する撮影装置と、前記撮影装置により撮られる映像を格納する記憶装置と、前記車両に取り付けられ、前記車両の位置情報を得るＧＰＳ装置と、前記映像と位置情報の取得時間を得る時計と、前記記憶装置に格納されている映像、前記ＧＰＳ装置により得られる位置情報、及び前記時計により得られる時間情報を遠隔サーバに無線にて送る通信装置、を備えることを特徴とする。
【０００７】
好ましくは、前記記憶装置は、前記ＧＰＳ装置により得られる位置情報と、前記時計により得られる時間情報を格納し、このとき、前記通信装置は、ＧＰＳ装置により得られる位置情報と前記時計により得られる時間情報を無線にて送信する際、前記記憶装置に格納されている情報を送ることを特徴とする。
【０００８】
前記遠隔サーバは、格納されている車両位置情報、映像、及び時間情報を別設されているコールバックセンターに有線または無線にて送ることができる。このとき、好ましくは、前記遠隔サーバは、予め格納されている顧客の電話番号、住所、名前、コールバックセンターの主担当者などの顧客情報を前記コールバックセンターに有線または無線にて送る。前記コールバックセンターは、車両整備会社、保険会社、警察署、またはセキュリティ会社であっても良い。
【０００９】
前記遠隔サーバは、格納されている車両位置情報、映像、または時間情報を車主の無線通信端末に無線にて送ることができる。
【００１０】
好ましくは、前記通信装置は、前記監視装置が前記車両の異常を感知したときに動作する。しかし、本発明はこれに限定されることなく、前記通信装置を動作させるホットキーがさらに設けられることにより、前記監視装置のオン／オフを問わず、前記ホットキーを介して前記通信装置が動作し、前記ＧＰＳにより得られる位置情報と前記時計により得られる時間情報を前記遠隔サーバに無線にて送ることもできる。もちろん、この場合、前記遠隔サーバは、前記ホットキーの動作に基づき、前記通信装置からの位置情報と時間情報を前記コールバックセンターに有線または無線にて送る。
【発明の効果】
【００１１】
本発明によれば、車両異常が感知された際、そのときの車両の周囲や内部の映像情報と位置情報などが遠隔サーバに直ちに送られるので、遠隔サーバを管理する事業体に対して事後措置を迅速に行わせることができる。また、事後措置を専門的に行うコールバックセンター、例えば、車両整備会社、保険会社、警察署、そのほかのセキュリティ会社にこれを知らせることにより、効果を一層極大化させることもできる。
【発明を実施するための最良の形態】
【００１２】
以下、添付した図面に基づき、本発明の好適な実施例について詳細に説明する。後述する実施例は本発明の内容を理解し易くするために提示されるものであって、この技術分野における通常の知識を有する者であれば、本発明の技術的な思想を逸脱しない範囲内において各種の変形が可能であることが理解できるであろう。よって、本発明の権利範囲が後述する実施例に限定されると解釈されてはならない。
【００１３】
図１は、本発明の実施例に係るカーセキュリティ無線遠隔通報装置２００を説明するための図である。図１を参照すれば、本発明に係るカーセキュリティ無線遠隔通報装置２００は、監視装置１００がオフである状態では動作をせず、監視装置１００がオンされてアラーム監視状態に切り換えられてはじめて動作する。このとき、監視装置１００との連動は、中央制御装置２１０により制御される。
【００１４】
監視装置１００がオンされれば、車両ドアの無断開閉や外部からの衝撃などに対するアラーム監視状態となる。すなわち、このようなアラーム監視状態において、車両ドアの無断開閉や外部からの衝撃が感知された際、監視装置１００はアラーム音を鳴らすと共に、異常があることを中央制御装置２１０に知らせる。このとき、監視装置１００は、緊急度によって予め用意されている音声、警告音、注意音などをアラーム音として送り出す知能型であっても良い。
【００１５】
監視装置１００が車両の異常を感知してはじめて本発明に係るカーセキュリティ無線遠隔通報装置２００が動作する。具体的には、車両に取り付けられている撮影装置２２０が中央制御装置２１０の制御に基づき車両の内部または外部の周囲を撮影する。車両の盗難などは昼夜を問わずに起こるため、好ましくは、撮影装置２２０としては、高感度のＣＭＯＳカメラ２２０ａと、夜間撮影用赤外線ＬＥＤ２２０ｂ、を有するものを用いる。これにより、夜間撮影が可能になる。撮影装置２２０により撮られる映像は記憶装置２３０に格納される。このとき、記憶装置２３０としては、ＲＡＭやフラッシュＲＡＭなどが使用可能である。
【００１６】
カーセキュリティ無線遠隔通報装置２００は、車両に取り付けられて車両の位置情報を得るＧＰＳ装置２５０と、映像及び位置情報の取得時間を得るための時計２６０と、を備える。
【００１７】
カーセキュリティ無線遠隔通報装置２００は、シガージャックまたは適宜な連結線を介して車両に動力源として搭載されているバッテリに接続される。好ましくは、バックアップ用バッテリ２７０として、再充電可能な２次電池を用いる。
【００１８】
中央制御装置２１０は、監視装置１００から異常がある旨の通報を受け取ると、記憶装置２３０に格納されている映像と、ＧＰＳ装置２５０により得られる位置情報と、時計２６０により得られる時間情報と、を通信装置２４０を介して遠隔サーバ３００に無線にて送るように制御する。
【００１９】
記憶装置２３０の記憶容量を考慮に入れ、撮影装置２２０による撮影は、車両に異常があるときから始め、限られた時間内にのみ行わせても良く、記憶装置２３０の記憶容量いっぱいまで映像が記録されると、最初に撮られた映像情報に新たな映像を上書き保存することにより、事実上制限なしに行わせても良い。後者の場合には、好ましくは、新たな映像が上書き保存される前に、上書きすべき映像を予め通信装置２４０を介して遠隔サーバ３００に無線にて送っておく。撮影は連続的に行われても良く、数秒ないし数分置きに断続的に行われても良い。
【００２０】
ＧＰＳ装置２５０による位置情報は、好ましくは、リアルタイムにて遠隔サーバ３００に無線にて送られる。しかし、本発明はこれに限定されることなく、映像の撮影時間に対応する位置情報が必要になる状況もあるため、これを考慮に入れて映像だけではなく、それに対応する時間及び位置情報をも記憶装置２３０に格納しておき、必要に応じてその対応映像、時間、位置情報を無線にて送るようにしても良い。
【００２１】
遠隔サーバ３００には、カーセキュリティ無線遠隔通報装置２００の通し番号に対応する顧客情報が予め格納されていて、遠隔サーバ３００に映像、位置情報、時間情報などが送られてくると、遠隔サーバ３００は、これを直ちに有線または無線にてコールバックセンター４００に再送する。このとき、好ましくは、コールバックセンター４００に対して顧客との緊密な協力関係を構築させるために、顧客情報も一緒に送る。顧客情報には、電話番号、住所、名前、コールバックセンターの主担当者などが含まれる。
【００２２】
遠隔サーバ３００からコールバックセンター４００への無線送信は、携帯電話網、ＰＨＳデータ通信の無線通話網、インターネット無線通信網などを介して行われる。コールバックセンター４００は、車両整備会社、保険会社、警察署、またはその他のセキュリティ会社などであっても良い。
【００２３】
車主も上記の如き異常状況を知っておく必要があるため、遠隔サーバ３００は、予め遠隔サーバ３００に格納されている携帯電話に車両の位置、映像及び時間情報を全部または一部無線にて送ることもできる。
【００２４】
一方、監視装置１００がオン状態ではない場合であっても、例えば、車両の走行中などにオイル不足、パンク、ラジエータの故障、または燃料不足など車両の整備に係わる事故が起こる可能性がある。このために、本発明に係るカーセキュリティ無線遠隔通報装置２００は、ホットキー２８０を備える。
【００２５】
監視装置１００のオン／オフを問わず、運転者がホットキー２８０を押下すると、通信装置２４０が動作してＧＰＳ２５０により得られる位置情報と時計２６０により得られる時間情報を遠隔サーバ３００に無線にて送り、遠隔サーバ３００は、このような状況を車両整備会社や保険会社など適宜なコールバックセンター４００に無線にて送る。もちろん、撮影装置２２０を動作させて映像情報を一緒に送ることもできる。
【図面の簡単な説明】
【００２６】
【図１】本発明の実施例に係るカーセキュリティ無線遠隔通報装置を説明するための図である。
【符号の説明】
【００２７】
１００    監視装置
２００    遠隔無線監視装置
２１０    中央制御装置
２２０    撮影装置
２３０    記憶装置
２４０    通信装置
２５０    ＧＰＳ装置
２６０    時計
２７０    バックアップ用バッテリ
２８０    ホットキー
３００    遠隔サーバ
４００    コールバックセンター
【図１】
2006123891.tif 000003